(57)【要約】【課題】浴室の天井裏等に設置し、浴室暖房機本体と、この本体に取り付けられ浴室を含む複数室の換気をする換気装置とを備えた浴室暖房機において、ダクト接続具へのダクト着脱作業を容易にして取付作業及びサービス性の向上を図る。【解決手段】浴室暖房機本体と、この本体に取り付けられ、吸気口８、９、排気口１０等の複数の通気口を有し浴室を含む複数室の換気をする換気装置３と、この換気装置３の通気口にダクト接続具３１ａ、３１ｂを介して接続されるダクト１５、１７とを備え、天井裏に設置される浴室暖房機において、前記本体近傍の天井には換気装置３の設置用の点検口を設け、前記換気装置３の一側板に複数の通気口８、９を有し、これらの通気口８、９が点検口から見て前後に配置される場合、手前側の通気口８から奥側の通気口９に向って順次出長さの長いダクト接続具３１ａ、３１ｂを取り付ける。【選択図】　　　図３
2004116921.tif 000002
【特許請求の範囲】
【請求項１】
浴室暖房機本体と、この本体に取り付けられ、吸気口、排気口等の複数の通気口を有し浴室を含む複数室の換気を可能にする換気装置と、この換気装置の通気口にダクト接続具を介して接続されるダクトとを備え、天井裏に設置される浴室暖房機において、
前記通気口には出長さの異なるダクト接続具の取付が可能であることを特徴とする浴室暖房機。
【請求項２】
浴室暖房機本体と、この本体に取り付けられ、吸気口、排気口等の複数の通気口を有し浴室を含む複数室の換気を可能にする換気装置と、この換気装置の通気口にダクト接続具を介して接続されるダクトとを備え、天井裏に設置される浴室暖房機において、
前記本体近傍の天井には換気装置の設置用の点検口を設け、前記換気装置の一側板に複数の通気口を有し、これらの通気口が点検口から見て前後に配置される場合、手前側の通気口から奥側の通気口に向って順次出長さの長いダクト接続具を取り付けることを特徴とする浴室暖房機。
【発明の詳細な説明】
【０００１】
【発明の属する技術分野】
本発明は、浴室の天井裏等に設置して浴室内の暖房を行う浴室暖房機本体と、この浴室暖房機本体に取り付けて浴室を含む脱衣室及びトイレ等の複数室の換気をすることができる換気装置とを備えた浴室暖房機に関する。
【０００２】
【従来の技術】
従来、浴室の天井板に開口部を設け、この開口部の天井裏に設置して浴室内の暖房及び換気をする浴室暖房機本体（以下本体という）と、この浴室暖房機本体側板に取り付けて浴室、脱衣室及びトイレの換気を行う換気装置とが開示されている。（例えば、特許文献１参照。）。
【０００３】
この種の浴室暖房機の本体は、箱体状の本体ケースを有し、この本体ケース内に外部の熱源機等から温水の供給される熱交換器と、浴室内から空気を吸い込み熱交換器を介して熱交換された空気を浴室内に吹き出す温風ファンと、浴室内の空気を換気する本体換気ファンとを備え、本体ケースの側板に浴室換気用の送出口が設けられている。また、本体ケースの底面には吸込口及び吹出口を有する吸込グリルが取り付けられている。
【０００４】
前記換気装置は箱体状のケース（以下換気ケースという）内に通風路を形成しこの通風路内に総換気ファンを設け、換気ケースの一側板に本体の送出口へ連通する連通口を設け、別の側板に脱衣室及びトイレ用の２つの吸気口を設け、さらに別の側板に連通口及び２つの吸気口から吸い込まれた空気を排出する排気口を設けている。これら２つの吸気口にはダクト接続具を介して各室に連通する吸気ダクトが接続され、排気口にはダクト接続具を介して室外に連通する排気ダクトが接続されている。
【０００５】
そして、本体換気ファンと総換気ファンとを作動することにより浴室の換気を行うことができ、総換気ファンのみを作動することにより脱衣室及びトイレの換気を行うことができる。
【０００６】
【特許文献１】
特開平９ー２４３１２７号公報
【０００７】
【発明が解決しようとする課題】
ところで、前述した浴室暖房機近傍の天井には、点検口が設けられており、この点検口は、天井の強度や取扱上、換気装置の出し入れができる最小限の大きさになっている。そして換気装置の設置工事がこの点検口を通して行われる。
【０００８】
ここで、前記換気装置は、１つの側板に２つの吸気口が設けられており、これら吸気口が点検口に対して前後に配置される。吸気口が作業する方向から見て前後に配置される場合、奥側のダクト接続具は、手前側のダクト接続具の後方に隠れて作業がやり難いという問題があった。また、ダクトの取り外し作業においてもやり難く、ダクトの着脱作業を容易にする必要があった。
【０００９】
本発明は上述のような従来の事情に鑑みなされものであり、浴室の天井裏等に設置し、浴室内の暖房及び換気を行う浴室暖房機本体と、この本体に取り付けられ浴室を含む複数室の換気をする換気装置とを備えた浴室暖房機において、ダクト接続具へのダクト着脱作業を容易にして取付作業及びサービス性の向上を図ることを目的とする。
【００１０】
【課題を解決するための手段】
上記目的を達成するために、請求項１記載の発明は、浴室暖房機本体と、この本体に取り付けられ、吸気口、排気口等の複数の通気口を有し浴室を含む複数室の換気を可能にする換気装置と、この換気装置の通気口にダクト接続具を介して接続されるダクトとを備え、天井裏に設置される浴室暖房機において、前記通気口には出長さの異なるダクト接続具の取付が可能であることを特徴とする。
【００１１】
請求項２に記載の発明は、浴室暖房機本体と、この本体に取り付けられ、吸気口、排気口等の複数の通気口を有し浴室を含む複数室の換気を可能にする換気装置と、この換気装置の通気口にダクト接続具を介して接続されるダクトとを備え、天井裏に設置される浴室暖房機において、前記本体近傍の天井には換気装置の設置用の点検口を設け、前記換気装置の一側板に複数の通気口を有し、これらの通気口が点検口から見て前後に配置される場合、手前側の通気口から奥側の通気口に向って順次出長さの長いダクト接続具を取り付けることを特徴とする。
【００１２】
【発明の実施の形態】
以下、本発明の一実施形態を図面に基づいて説明する。図１は本発明の一実施形態における浴室暖房機の設置構成図、図２は図１の浴室暖房機の平面図である。
【００１３】
図１、図２において、浴室暖房機１は、浴室Ａの天井裏Ｂ等に設置される浴室暖房機本体（以下本体という）２及び換気装置３と、前記浴室暖房機本体２に温水等の熱媒を供給する熱源機４とを備え、温水配管５にて接続されている。換気装置３の各側板には、本体２に連通する連通口（図示せず）、脱衣室用吸気口８、トイレ用吸気口９及び排気口１０が設けられ、連通口は本体２を介して浴室Ａに連通し、脱衣室用吸気口８は吸気ダクト１５を介して脱衣室Ｃに連通し、トイレ用吸気口９は吸気ダクト１７を介してトイレＤに連通し、排気口１０は排気ダクト１８を介して室外に連通している。前記ダクト１５、１７、１８は、浴室Ａ、脱衣室Ｃ及びトイレＤの天井裏Ｂに配設されている。また、浴室暖房機１には、本体２及び換気装置３を操作するためのリモコン２１が設けられ、リモコン２１及び本体２間、並びに本体２及び熱源機３間が信号線２２にて接続されている。
【００１４】
前記浴室暖房機本体２は浴室Ａの天井に設けられた天井開口部の裏側に４本の吊りボルト１１、１１・・にて吊り下げられて設置され、この本体２の底面に、天井開口部を塞ぐように天井面に設けられる吸込グリル２６がねじ止め固定される。この吸込グリル２６には吸込口と吹出口（図示せず）が設けられている。
【００１５】
また、本体２は箱体状の本体ケース２Ａを有し、この本体ケース２Ａ内に外部の熱源機４等から温水の供給される熱交換器（図示せず）と、浴室Ａ内から空気を吸い込み熱交換器を介して熱交換された空気を浴室Ａ内に吹き出す温風ファン（図示せず）と、浴室Ａ内の空気を換気する浴室換気用ファン２５とを備え、本体ケース２Ａの側板には浴室換気用の送出口（図示せず）が形成されている。この送出口は、吸込グリル２６の吸込口に連通している。
【００１６】
前記換気装置３は箱体状の換気ケース６を有し、この換気ケース６内には通風路が形成されて通風路内に換気ファン２４が設けられ、通風路は換気ケース６の側板６ａ、６ｂ、６ｃに形成された複数の開口に連通している。これら開口は、前記本体の送出口に連通する連通口と、別の側板６ｂに形成された２つの吸気口８、９と、さらに別の側板６ｃに形成された排気口１０であり、各通気口には通風を開放遮断する開閉ダンパ（図示せず）と、同一形状のダクト取付部とが設けられている。これらダクト取付部にはダクトを取り付けるためのダクト接続具が取り付けられる。
【００１７】
また、換気装置３近傍の天井板には換気装置３の設置及び点検等を行うための点検口２３が設けられ、この点検口２３は、天井強度や取扱上、換気装置３の外形寸法（縦×横）より少しだけ大き目に作られ、換気装置３の出し入れができるようになっている。この点検口２３から遠くの位置に本体２が配置され、手前の位置に換気装置３が配置され、換気装置３の左側の側板６ｂに２つの吸気口８、９、右側の側板６ｃに排気口１０が設けられている。
【００１８】
図３は換気装置を点検口側から見た斜視図である。
【００１９】
本浴室暖房機には出長さの異なる２種類のダクト接続具３１ａ、３１ｂが設計されており、２つの吸気口８、９のダクト取付部には、図３に示すように、それぞれ出長さの異なるダクト接続具３１ａ、３１ｂが取り付けられている。これらダクト接続具３１ａ、３１ｂは、それぞれ換気装置３に接続される四角状の枠部３３と、ダクトの接続される円筒部３４と、これらの中間に位置する胴部３５ａ、３５ｂとで構成されており、枠部３３と円筒部３４とが同一形状をし、胴部３５ａ、３５ｂの長さだけ異なるものである。出長さの長い方のダクト接続具３１ｂは、胴部３５ｂの長さが短い方のダクト接続具３１ａの胴部３５ａと円筒部３４の合計長さとほぼ同じ長さに設計されている。それぞれの円筒部３４には円周を外嵌するようにダクトが接続され、接続された箇所には粘着テープ等が巻かれて円筒部３４とダクトとが密接されるようにしている。
【００２０】
前記吸気口８、９には、それぞれ奥側の吸気口９に出長さの長いダクト接続具３１ｂを接続し、手前側のダクト接続具３１ａに出長さの短い円筒部３４を接続する。その後、奥側のダクト接続具３１ｂ円筒部３４に吸気ダクト１７を外嵌するように接続し、接続された箇所に粘着テープ等を巻いて円筒部３４とダクトとが密接されるようにしている。次いで、手前側のダクト接続具３１ａに吸気ダクト１５を接続しテープ止め接続をする。
【００２１】
このように手前側の吸気口８よりも奥側の吸気口９に出長さの長いダクト接続具３１ｂを取り付けることによって、奥側のダクト接続具３１ｂの円筒部３４が手前側のダクト接続具３１ａの先端より外側に突出するので、ダクト接続具３１ｂと吸気ダクト１７とのテープ止め接続が容易になり、作業を効率良く行うことができる。また、同様にテープ止め接続を外す場合にも容易に外すことができる。
【００２２】
以上、一実施形態に基づいて本発明を説明したが、本発明はこれに限定されるものではない。
【００２３】
本実施形態においては点検口２３から前後方向に配置される２つの吸気口８、９で説明しているが、前後方向に３つ以上の通気口が配置される機種であっても良く、この場合、出長さの異なるダクト接続具を３種類以上設計し、手前側から奥側に向って順次長いダクト接続具を取り付けることによって、ダクト接続具とダクトとの接続を容易にすることができる。
【００２４】
【発明の効果】
以上説明したように、本発明の浴室暖房機の換気装置において、点検口から前後方向に配置される吸気口、排気口等の通気口に、奥側に出長さの長いダクト接続具、手前側に出長さの短いダクト接続具を接続することにより、ダクトの接続を容易にして作業の効率を良くすることができる。これにより浴室暖房機の設置作業の効率化を図ることができる。
【図面の簡単な説明】
【図１】本発明の一実施形態における浴室暖房機の設置構成図である。
【図２】図１の浴室暖房機の平面図である。
【図３】図１の換気装置を点検口側から見た斜視図である。
【符号の説明】
１　浴室暖房機
２　浴室暖房機本体
３　換気装置
４　熱源機
８　脱衣室用吸気口（通気口）
９　トイレ用吸気口（通気口）
１０　排気口（通気口）
１５、１７　吸気ダクト
１８　排気ダクト
２３　点検口
３１ａ　（長さの短い）ダクト接続具
３１ｂ　（長さの長い）ダクト接続具
３３　枠部
３４　円筒部
３５ａ、３５ｂ　胴部
Ａ　浴室
Ｂ　天井裏
Ｃ　脱衣室
Ｄ　トイレ
【図１】
2004116921.tif 000003
【図２】
2004116921.tif 000004
【図３】
2004116921.tif 000005